(57)【要約】  本発明は設備の移動性に関連する情報を取得する方法を提供し、マシン通信（MTC）設備の移動性に関連する情報を取得することに用いられ、MTC設備が自体の移動性に関連する情報をアクセスネットワークに報告し、或は、アクセスネットワークはMTC設備の移動性に関連する情報が記憶されているコアネットワーク又はMTCサーバーから前記MTC設備の移動性に関連する情報を取得することを含む。本発明は更にMTC設備が最適化配置する方法、MTC設備及びアクセスネットワーク設備を提供する。本発明はアクセスネットワークがMTC設備の移動性に関連する情報を取得するようにし、それにより、配置の最適化を行え、例えば必要ではない測定と移動性管理等を減少させる。【選択図】図３
2013517719.tif 000002
【特許請求の範囲】
【請求項１】
設備の移動性に関連する情報を取得する方法であって、マシン通信(MTC)設備の移動性に関連する情報を取得することに用いられ、 
MTC設備が自体の移動性に関連する情報をアクセスネットワークに報告すること、或は、
アクセスネットワークはMTC設備の移動性に関連する情報が記憶されているコアネットワーク又はMTCサーバーから前記MTC設備の移動性に関連する情報を取得することを含むことを特徴とする設備の移動性に関連する情報を取得する方法。
【請求項２】
前記アクセスネットワークがユニバーサル地上波無線アクセスネットワーク（UTRAN）或は進化型ユニバーサル地上波無線アクセスネットワーク（E-UTRAN）である請求項1に記載の方法。
【請求項３】
MTC設備が自体の移動性に関連する情報をアクセスネットワークに報告するステップは、
前記MTC設備がアクセスネットワークに無線リソース制御（RRC）接続構築要求又はRRC接続構築完成メッセージを起動し、その中に、自体の移動性に関連する情報を載せることを含む請求項1に記載の方法。
【請求項４】
前記移動性に関連する情報は、移動性の関連情報のグレードを含み、
前記MTC設備の移動性の関連情報のグレードは静止、低速移動、一般速度移動或は高速移動というタイプの中の一種である請求項1に記載の方法。
【請求項５】
MTC設備の移動性に関連する情報が変わると、前記MTC設備が新しい移動性に関連する情報をアクセスネットワーク、コアネットワークとMTCサーバーの中の一種又は多種に知らせることを更に含む請求項1〜4のいずれか一つに記載の方法。
【請求項６】
マシン通信（MTC）設備の配置を最適化する方法であって、MTC設備の配置を動的に最適化することに用いられ、
MTC設備は自体の移動性に関連する情報をアクセスネットワークに報告し、或はアクセスネットワークはMTC設備の移動性に関連する情報が記憶されているコアネットワーク或はMTCサーバーから前記MTC設備の移動性に関連する情報を取得し、及び、
前記アクセスネットワークは得た前記MTC設備の移動性に関連する情報に基づき、前記MTC設備の配置パラメーターを配置し、その中に、
前記配置パラメーターが測定周期、位置更新周期とルーティングエリア更新周期の中の一種又は多種を含むことを特徴とするマシン通信（MTC）設備の配置を最適化する方法。
【請求項７】
MTC設備が自体の移動性に関連する情報をアクセスネットワークに報告するステップは、
前記MTC設備がアクセスネットワークにRRC接続構築要求或はRRC接続構築完成メッセージを起動し、その中に、自体の移動性に関連する情報を載せることを含む請求項6に記載の方法。
【請求項８】
前記移動性に関連する情報は、移動性に関連する情報のグレードを含み、
前記MTC設備の移動性に関連する情報のグレードは、静止、低速移動、一般速度移動或は高速移動というタイプの中の一種である請求項6に記載の方法。
【請求項９】
前記配置パラメーターが測定周期、位置更新周期とルーティングエリア更新周期を含むと、
前記アクセスネットワークは前記MTC設備の移動性に関連する情報のグレードが静止であることを了解すれば、、前記アクセスネットワークは前記MTC設備の測定周期を無限大に配置し、且つMTC設備が位置更新とルーティングエリア更新の報告を行わないように設置し、
前記アクセスネットワークは前記MTC設備の移動性に関連する情報のグレードが低速移動であることを了解すれば、前記アクセスネットワークは前記MTC設備が比較的に大きい測定周期、位置更新周期とルーティングエリア更新周期を使用するように配置し、前記アクセスネットワークは前記MTC設備の移動性に関連する情報のグレードが一般速度移動であることを了解すれば、前記アクセスネットワークは前記MTC設備が一般速度移動端末の配置パラメーターを使用するように配置し、
前記アクセスネットワークは前記MTC設備の移動性に関連する情報のグレードが高速移動であることを了解すれば、前記アクセスネットワークは前記MTC設備が高速移動端末の配置パラメーターを使用するように配置する請求項8に記載の方法。
【請求項１０】
MTC設備の移動性に関連する情報が変わると、前記MTC設備は新しい移動性に関連する情報をアクセスネットワーク、コアネットワークとMTCサーバーの中の一種又は多種に知らせることと、
アクセスネットワークは新しい移動性に関連する情報を取得し、取得した前記新しい移動性に関連する情報に基づき、改めて前記MTC設備の配置パラメーターを配置することとを更に含む請求項6〜9のいずれか一つに記載の方法。
【請求項１１】
マシン通信（MTC）設備であって、 
アクセスネットワークが前記MTC設備の移動性に関連する情報に基づいて配置し、かつ前記MTC設備に配布した配置パラメーターを受信し、前記配置パラメーターは測定周期、位置更新周期とルーティングエリア更新周期の中の一種又は多種を含むように設置される受信モジュール及び、
前記MTC設備が前記アクセスネットワークに自体の移動性に関連する情報を報告することに用いられ、アクセスネットワークから受信した配置パラメーターを使用するように設置される使用モジュールを含むマシン通信（MTC）設備。
【請求項１２】
前記アクセスネットワークに自体の移動性に関連する情報を報告するように設置される報告モジュールを更に含む請求項11に記載のMTC設備。
【請求項１３】
アクセスネットワーク設備であって、 
マシン通信（MTC）設備又はMTC設備の移動性に関連する情報が記憶されているコアネットワーク或はMTCサーバーから前記MTC設備の移動性に関連する情報を取得するように設置される情報取得モジュール、
得た前記MTC設備の移動性に関連する情報に基づき、前記MTC設備の配置パラメーターを配置するように設置される配置モジュール、及び
前記MTC設備の配置パラメーターを前記MTC設備に配布し、その中に、前記配置パラメーターは測定周期、位置更新周期とルーティングエリア更新周期中の一種又は多種を含むように設置される配布モジュールを含むアクセスネットワーク設備。
【発明の詳細な説明】
【技術分野】
【０００１】
本発明は無線通信分野に関し、特に設備の移動性に関連する情報の取得及び配置の最適化方法とシステムに関する。
【背景技術】
【０００２】
機械と機械（Machine to Machine、M2M）とは機械同士の通信を一般的に指し、センサネットワークと無線通信技術を融合し、機械端末のインテリジェント交換をコアとし、ネットワーク化された応用とサービスである。M2Mは複数種類の通信方式をアクセス手段とし、クライアントのために提供した情報化解決案はクライアントのモニタリング、指揮とスケジューリング、データー採取と測定等の方面への情報化要求を満たすことに用いられる。
【０００３】
無線技術の発展は、M2M市場が発展する重要な要因である。無線技術は従来の通信方式の時間、空間の制限と地域的な障害を突破し、企業と公衆が配線、ケーブルの拘束から抜け出し、クライアントがより効果的にコストをコントロールでき、据付費用を減少させるようにし、且つ使用に便利になる。また、日々増加した需要はM2Mが耐えずに前向きに発展することを推進し、情報処理能力及びネットワーク帯域幅が耐えずに増加することと矛盾するのは情報を取得する手段がかなり情報処理能力及びネットワーク帯域幅に後れることであり、M2Mは情報を取得する手段を増強し、情報を取得する需要をよく満たした。M2Mによって、リアルタイムに外部環境を監視でき、広範囲、自動化の情報採取を実現する。このため、M2Mは業種への応用、家庭への応用、及び個人への応用等に利用できる。業種への応用は、例えば交通モニタリング、告警システム、水難救助、自動販売機、車両交通料納付等である。家族への応用は、例えば自動検針、温度制御等である。個人への応用は例えば生命検出、遠隔診断等である。
【０００４】
M2Mの通信対象者は、機械と機械、又は人と機械である。一つ又は複数の機械間のデーター通信はマシン通信（Machine Type Communication、MTC）に定義され、このような場合に、ヒューマンコンピュータインタラクションを需要することが少ない。MTCに参加した機械は、MTC設備に定義される。MTC設備は、MTCユーザー設備（MTC User Equipment、MTC UE）であり、公衆陸上移動通信網（Public Land Mobile Network、PLMN）を介してMTC設備とMTCサーバーと通信を行える。移動設備（Mobile Equipment、ME）は、MTC設備付きの機能ブロックであり、該機能ブロックはMTC設備を移動通信システムにアクセスすることに用いられる。MTCサーバー（MTC Server）はMTC設備に管理とモニタリングを行う。図1と図2はそれぞれ従来技術において、MTC設備がユニバーサル地上波無線アクセスネットワーク（Universal Terrestrial Radio Access Network、UTRAN）、進化型ユニバーサル地上波無線アクセスネットワーク（Evolved Terrestrial Radio Access Network、E-UTRAN）を介して、コアネットワーク（Core Network、CN）にアクセスする模式図である。
【発明の概要】
【課題を解決するための手段】
【０００５】
MTC設備はほとんど具体的な応用設備であり、異なる応用のMTC設備が異なる特性を有し、例えばセンサー、カメラ、及び電気計器等の設備、このため、大部分の場合に固定にある箇所に設置され、且つほとんど移動する需要がない。従って、これらの設備に対し、必要ではない測定と移動性管理等を減少させることで、設備のワット損とネットワークへの衝撃を減少させることは考えなければならない問題である。このような応用の場合に対し、まずアクセス網はMTC設備の移動性に関連する情報を了解する必要があり、それにより、異なる移動性に応じ異なる最適化をすることができる。従来の技術では、上記問題に対して、相応な解決案を提供しない。
【０００６】
本発明が解決しようとする問題は、設備の移動性に関連する情報及び最適化配置を取得する方法とシステムを提供することで、アクセスネットワークがMTC設備の移動性に関連する情報を取得でき、最適化配置を行うようにすることにある。
【０００７】
上記技術的な問題を解決するために、本発明は設備の移動性に関連する情報を取得する方法を提供し、MTC設備を取得することに用いられ、 
MTC設備が自体の移動性に関連する情報をアクセスネットワークに報告し、或は、
アクセスネットワークは、MTC設備の移動性に関連する情報が記憶されているコアネットワーク又はMTCサーバーから前記MTC設備の移動性に関連する情報を取得することを含む。
【０００８】
前記アクセスネットワークは、ユニバーサル地上波無線アクセスネットワーク（UTRAN）或は進化型ユニバーサル地上波無線アクセスネットワーク（E-UTRAN）である。
【０００９】
MTC設備が自体の移動性に関連する情報をアクセスネットワークに報告するステップは、
前記MTC設備がアクセスネットワークに無線リソース制御（RRC）接続構築要求又はRRC接続構築完成メッセージを起動し、その中に、自体の移動性に関連する情報を載せることを含む。
【００１０】
前記移動性に関連する情報は、移動性に関連する情報のグレードを含み、
前記MTC設備の移動性に関連する情報のグレードは、静止、低速移動、一般速度移動或は高速移動というタイプの中の一種である。
【００１１】
前記方法は更に、
MTC設備の移動性に関連する情報が変わると、前記MTC設備が新しい移動性に関連する情報をアクセスネットワークのコアネットワークとMTCサーバー中の一種又は多種に知らせることを含む。
【００１２】
上記技術的な問題を解決するために、本発明は更にマシン通信（MTC）設備が最適化配置する方法を提供し、MTC設備の動的最適化配置に用いられ、 
MTC設備は自体の移動性に関連する情報をアクセスネットワークに報告し、或はアクセスネットワークはMTC設備の移動性に関連する情報が記憶されているコアネットワーク或はMTCサーバーから前記MTC設備の移動性に関連する情報を取得し、及び、
前記アクセスネットワークは、取得した前記MTC設備の移動性に関連する情報に基づき、前記MTC設備の配置パラメーターを配置し、その中に、
前記配置パラメーターが測定周期、位置更新周期とルーティングエリア更新周期の中の一種又は多種を含むことを特徴とする。
【００１３】
MTC設備が自体の移動性に関連する情報をアクセスネットワークに報告するステップは、
前記MTC設備がアクセスネットワークにRRC接続構築要求或はRRC接続構築完成メッセージを起動し、その中に、自体の移動性に関連する情報を載せることを含む。
【００１４】
前記移動性に関連する情報は、移動性に関連する情報のグレードを含み、
前記MTC設備の移動性に関連する情報のグレードは静止、低速移動、一般速度移動或は高速移動というタイプの中の一種である。
【００１５】
前記配置パラメーターが測定周期、位置更新周期とルーティングエリア更新周期を含むと、
前記アクセスネットワークは、前記MTC設備の移動性に関連する情報のグレードが静止であることを了解すれば、前記アクセスネットワークは、前記MTC設備の測定周期を無限大に配置し、且つMTC設備が位置更新とルーティングエリア更新の報告を行わないように設置し、
前記アクセスネットワークは、前記MTC設備の移動性に関連する情報のグレードが低速移動であることを了解すれば、前記アクセスネットワークは前記MTC設備が比較的に大きい測定周期、位置更新周期とルーティングエリア更新周期を使用するように配置し、前記アクセスネットワークは前記MTC設備の移動性の関連情報のグレードが一般速度移動であることを了解すれば、前記アクセスネットワークは、前記MTC設備が一般速度移動端末の配置パラメーターを使用するように配置し、
前記アクセスネットワークは、前記MTC設備の移動性の関連情報のグレードが高速移動であることを了解すれば、前記アクセスネットワークは前記MTC設備が高速移動端末の配置パラメーターを使用するように配置する。
【００１６】
前記方法は更に、
MTC設備の移動性の関連情報が変わると、前記MTC設備は新しい移動性の関連情報をアクセスネットワーク、コアネットワークとMTCサーバー中の一種又は多種に知らせ、
アクセスネットワークは新しい移動性の関連情報を取得し、取得した前記新しい移動性の関連情報に基づき、改めて前記MTC設備の配置パラメーターを配置することを含む。
【００１７】
上記技術的な問題を解決するために、本発明は更にマシン通信（MTC）設備を提供し、 
アクセスネットワークが前記MTC設備の移動性の関連情報に基づいて配置し、かつ前記MTC設備に配布した配置パラメーターを受信し、前記配置パラメーターは測定周期、位置更新周期とルーティングエリア更新周期の中の一種又は多種を含むように設置される受信モジュール及び、
前記MTC設備が前記アクセスネットワークに自体の移動性の関連情報を報告することに用いられ、アクセスネットワークから受信した配置パラメーターを使用するように設置される使用モジュールを含む。
【００１８】
前記MTC設備は更に、
前記アクセスネットワークに自体の移動性の関連情報を報告するように設置される報告モジュールを含む。
【００１９】
アクセスネットワーク設備であって、 
マシン通信（MTC）設備又はMTC設備の移動性の関連情報が記憶されているコアネットワーク或はMTCサーバーから前記MTC設備の移動性の関連情報を取得するように設置される情報取得モジュール、
得た前記MTC設備の移動性の関連情報に基づき、前記MTC設備の配置パラメーターを配置するように設置される配置モジュール、及び
前記MTC設備の配置パラメーターを前記MTC設備に配布し、その中に、前記配置パラメーターは測定周期、位置更新周期とルーティングエリア更新周期の中の一種又は多種を含むように設置される配布モジュールを含む。
【発明の効果】
【００２０】
本発明はアクセスネットワークがMTC設備の移動性の関連情報を取得するようにし、それにより、配置の最適化を行え、例えば必要ではない測定と移動性管理等を減少させる。
【図面の簡単な説明】
【００２１】
【図１】図1はMTC設備がUTRANを介してCNにアクセスする模式図である。
【図２】図2はMTC設備がE-UTRANを介してCNにアクセスする模式図である。
【図３】図3は本発明の実施例一の模式図である。
【図４】図4は本発明の実施例二の模式図である。
【図５】図5は本発明の実施例三の模式図である。
【発明を実施するための形態】
【００２２】
本発明はアクセスネットワークがMTC設備の移動性の関連情報を取得する方法を提供し、同時に異なる移動性の関連情報に応じ、異なる動的最適化の配置案を提供する。
【００２３】
本発明はUTRANネットワークとE-UTRANネットワークに適用可能である。
【００２４】
アクセスネットワークが設備の移動性の関連情報を取得する方案は二種類を含み、一種はMTC設備が自体の移動性の関連情報をアクセスネットワークに報告し、もう一種はアクセスネットワークがMTC設備の移動性の関連情報が記憶されているコアネットワーク又はMTCサーバーから上記MTC設備の移動性の関連情報を取得する。
【００２５】
アクセスネットワークはUTRAN或はE-UTRANである。
【００２６】
上記移動性の関連情報は移動性の関連情報のグレードを含み、その中に、上記MTC設備の移動性の関連情報のグレードは、
静止、低速移動、一般速度移動或は高速移動というタイプの中の一種である。
【００２７】
アクセスネットワークは、取得した上記MTC設備の移動性の関連情報に基づき、上記MTC設備の配置パラメーターを配置し、具体的には、MTC設備の異なる移動性の関連情報のグレードに基づき、アクセスネットワークが異なる配置の最適化を行うことができる。
【００２８】
その中に、上記配置パラメーターは、測定周期、位置更新（Location Updating）周期、ルーティングエリア更新（Routing Area Update）周期の中の一種又は多種を含む。
【００２９】
MTC設備の移動性の関連情報が変わる時、上記MTC設備は、新しい移動性の関連情報をアクセスネットワーク、コアネットワークとMTCサーバーの中の一種又は多種に報告し、アクセスネットワークは、取得した上記新しい移動性の関連情報に基づき、改めて上記MTC設備の配置パラメーターを配置する。
【００３０】
以下、図面と具体的な実施例を参考しながら、本発明を詳しく説明する。
【００３１】
実施例一：
図3に示すように、MTC設備が自体の移動性の関連情報をアクセスネットワークに報告する模式図であり、具体的には、
ステップ301、MTC設備はUTRAN或はE-UTRANに無線リソース制御（Radio Resources Control、RRC）接続構築要求或はRRC接続構築完成メッセージを送信し、その中に、自体の移動性の関連情報を載せ、
ステップ302、UTRAN或はE-UTRANはRRC構築要求或はRRC接続構築完成メッセージを解析し、該MTC設備の移動性の関連情報を取得し、且つ異なる移動性の関連情報のグレードに基づき、MTC設備に配置の最適化を行い、例えば、MTC設備が移動しない時（移動性の関連情報のグレードが静止である）、アクセスネットワークはMTC設備の測定周期を無限大（すなわち、測定しない）に設置可能であり、且つMTC設備が位置更新とルーティングエリア更新等の報告をしないように設置し、すなわちMTC設備が不移動しない時、測定、位置更新、且つルーティングエリア更新を行うことが不要で、MTC設備が低速に移動する場合（移動性の関連情報のグレードが低速移動である）に対し、アクセスネットワークは上記MTC設備が比較的に大きい測定周期、位置更新周期とルーティングエリア更新周期（例えば上記周期が6分間以上の任意の値である）を使用するように設置でき、MTC設備は一般的な速度で移動する時（移動性の関連情報のグレードが一般速度移動である）、アクセスネットワークは上記MTC設備が一般速度移動端末の配置パラメーターを使用するように設置でき、例えば測定周期、位置更新周期とルーティングエリア更新周期を1分間以上6分間以下の任意の一つの値に設置でき、MTC設備は高速に移動する時（移動性の関連情報のグレードが高速移動である）、アクセスネットワークは上記MTC設備が高速移動端末の配置パラメーターを使用するように設置でき、例えば測定周期、位置更新周期とルーティングエリア更新周期を半分間以上、一分間以下間の任意の一つの値に配置できる。
【００３２】
なお、測定周期、位置更新周期とルーティングエリア更新周期を必ず一つの値に設置するわけではない。
【００３３】
当然ながら、アクセスネットワークは測定周期、位置更新周期、及びルーティングエリア更新周期という三種類のパラメーター中の一種又は二種だけ設置してもよい。
【００３４】
その中に、一般速度移動端末の配置パラメーターと高速移動端末の配置パラメーターが含んだ内容は従来の技術であり、関連標準を参考まで、ここでは詳述しない。アクセスネットワークを介してMTC設備にシステムメッセージ或は測定配置メッセージを配布でき、MTC設備がこれらの配置パラメーターを得るようにする。
【００３５】
その中に、速度が3キロメートル／時間以下になる場合、低速移動と考えられ、速度が3〜120キロメートル／時間になる場合、一般速度移動と考えられ、速度が120キロメートル／時間になる場合、高速移動と考えられる。
【００３６】
その中に、具体的には、UTRAN或はE-UTRANにはRRC接続構築要求或はRRC接続構築完成メッセージを受信し、且つ解析し、MTC設備に配置最適化を行う実体は無線ネットワーク制御装置（Radio Network Controller、RNC）であってもよい。
【００３７】
実施例二：
図4に示すのは、アクセスネットワークが、コアネットワーク或はMTCサーバーから上記MTC設備の移動性の関連情報を取得する模式図であり、具体的には、
ステップ401、UTRAN或はE-UTRANは、コアネットワーク或はMTC serverからMTC設備の移動性に関連する情報を取得し、
ステップ402、UTRAN或はE-UTRANは、該MTC設備の移動性に関連する情報を取得した後、異なる移動性に関連する情報のグレードに基づき、MTC設備に配置の最適化を行い、例えば、MTC設備が移動しない時（移動性に関連する情報のグレードが静止である）、アクセスネットワークがMTC設備の測定周期を無限大に設置でき、且つMTC設備が位置更新とルーティングエリア更新等の報告をしないように設置でき、すなわち、MTC設備は移動しない時、測定、位置更新、且つルーティングエリア更新を行うことは不要で、MTC設備が低速に移動する場合（移動性に関連する情報のグレードが低速移動である）に、アクセスネットワークは上記MTC設備が比較的に大きい測定周期、位置更新周期とルーティングエリア更新周期（例えば上記周期が6分間を超える）を使用するように設置でき、MTC設備が一般的な速度で移動する（移動性に関連する情報のグレードが一般速度移動である）時、アクセスネットワークは上記MTC設備が一般的な速度で端末の配置パラメーターを移動するように設置でき、MTC設備は高速で移動する（移動性に関連する情報のグレードが高速移動である）時に、アクセスネットワークは上記MTC設備が高速で端末の配置パラメーターを移動するように設置できる。
【００３８】
当然ながら、アクセスネットワークは、測定周期、位置更新周期、及びルーティングエリア更新周期という三種類のパラメーター中の一種又は二種だけ配置できる。
【００３９】
その中に、一般的な速度で端末を移動する配置パラメーターと高速で端末を移動する配置パラメーターが含んだ内容は従来の技術であり、関連標準を参考でき、ここでは詳述しない。アクセスネットワークを介してMTC設備にシステムメッセージ或は測定配置メッセージを配布でき、MTC設備がこれらの配置パラメーターを得るようにする。 
その中に、速度が3キロメートル／時間以下になる場合に、低速移動と考えられ、速度が3〜120キロメートル／時間になる場合、一般速度移動と考えられ、速度が120キロメートル／時間以上になる場合、高速移動と考えられる。
【００４０】
具体的には、UTRAN或はE-UTRANがMTC設備の移動性に関連する情報を取得し、且つMTC設備に配置の最適化を行う実体はRNCであってもよく、コアネットワークにMTC設備の移動性に関連する情報が記憶されている実体は、ホームロケーションレジスタ（Home Location Register、HLR）及びホーム加入者サーバ（Home Subscriber Server、HSS）である。
【００４１】
実施例三：
図5に示すように、移動性の関連情報が変わる時、MTC設備が、新しい移動性に関連する情報の更新をアクセスネットワーク或はコアネットワーク或はMTC serverに知らせる模式図である。
【００４２】
ステップ501、MTC設備の移動性の関連情報が変わる時、該MTC設備は新しい移動性の関連情報をUTRAN或はE-UTRAN或はCN或はMTC serverに知らせ、
ステップ502、UTRAN或はE-UTRANは新しい移動性の関連情報に基づき、改めて該MTC設備の配置パラメーターを配置する。
【００４３】
本発明による実施例のMTC設備の動的最適化配置のシステムは、MTC設備とアクセスネットワークを含み、上記MTC設備は、上記アクセスネットワークに自体の移動性の関連情報を報告するように設置され、及びアクセスネットワークから受信した配置パラメーターを使用し、上記アクセスネットワークは得た上記MTC設備の移動性に関連する情報に基づき、上記MTC設備の配置パラメーターを配置し、かつ上記MTC設備に配布し、上記配置パラメーターは測定周期及び/又は位置更新周期及び/又はルーティングエリア更新周期を含むことは好ましい。
【００４４】
本発明による実施例のMTC設備の動的最適化配置のシステムは、MTC設備とアクセスネットワークを含み、上記アクセスネットワークは、MTC設備の移動性に関連する情報が記憶されているコアネットワーク或はMTCサーバーから上記MTC設備の移動性に関連する情報を取得し、且つ得た上記MTC設備の移動性に関連する情報に基づき、上記MTC設備の配置パラメーターを配置し、かつ上記MTC設備に配布し、上記配置パラメーターは、測定周期及び/又は位置更新周期及び/又はルーティングエリア更新周期を含み、上記MTC設備は、アクセスネットワークから受信した上記配置パラメーターを使用するように設置される。
【００４５】
本実施例は更にMTC設備を提供し、 
アクセスネットワークが該MTC設備の移動性に関連する情報に基づいて配置し、且つ該MTC設備に配布する配置パラメーターを受信し、配置パラメーターは測定周期、位置更新周期とルーティングエリア更新周期の中の一種又は多種を含むように設置される受信モジュール、及び
アクセスネットワークから受信した配置パラメーターを使用するように設置される使用モジュールを含む。
【００４６】
該MTC設備は更に、
上記アクセスネットワークに自体の移動性に関連する情報を報告するように設置される報告モジュールを含む。
【００４７】
本実施例は更にアクセスネットワーク設備を提供し、 
MTC設備或はMTC設備の移動性に関連する情報が記憶されているコアネットワーク或はMTCサーバーから該MTC設備の移動性に関連する情報を取得するように設置される情報取得モジュールと、
得たMTC設備の移動性に関連する情報に基づき、MTC設備の配置パラメーターを配置する配置モジュールと、及び
MTC設備の配置パラメーターをMTC設備に配布し、その中に、上記配置パラメーターは測定周期、位置更新周期とルーティングエリア更新周期中の一種又は多種を含むように設置される配布モジュールを含む。
【００４８】
当然ながら、本発明は更に他の複数の種類の実施例を有してもよく、本発明の精神及びその実質を逸脱しない限り、本分野に熟知する技術者は本発明によれば、各種の相応な修正と変形をすることができるが、これらの相応な修正と変形はすべてが本発明に添付した請求項の保護範囲に属するものである。
【産業上の利用分野】
【００４９】
本発明はアクセスネットワークがMTC設備の移動性に関連する情報を取得できることで、配置の最適化を行え、例えば必要ではない測定と移動性管理等を減少させる。
【図１】
2013517719.tif 000003
【図２】
2013517719.tif 000004
【図３】
2013517719.tif 000005
【図４】
2013517719.tif 000006
【図５】
2013517719.tif 000007
【国際調査報告】
2013517719.tif 000008
2013517719.tif 000009
2013517719.tif 000010
2013517719.tif 000011